(57)【要約】【課題】熱媒体側流路内の熱の偏りを抑制して、反応側流路に偏りなく熱を供給する。【解決手段】リアクタは、反応対象となる流体である反応流体が流通する反応側流路と、伝熱隔壁を介して反応側流路と並行して設けられ、互いに区画された複数の分割流路Ａ１〜Ａ７に、被酸化ガスと酸化剤ガスとを含んで構成される燃焼ガスが導入される熱媒体側流路と、複数の分割流路Ａ１〜Ａ７それぞれの上流端から下流端までの全域もしくは一部の範囲に配され、酸化剤ガスによる被酸化ガスの酸化反応を促進させる燃焼触媒と、を備え、複数の分割流路Ａ１〜Ａ７において、燃焼ガスが燃焼触媒との接触を開始する開始位置ＳＰ１、ＳＰ２、ＳＰ３が、他のいずれか１の分割流路と異なる分割流路が形成されるように燃焼触媒が配される。【選択図】図４
2015223581.tif 000002
【特許請求の範囲】
【請求項１】
反応対象となる流体である反応流体が流通する反応側流路と、
伝熱隔壁を介して前記反応側流路と並行して設けられ、互いに区画された複数の分割流路に、被酸化ガスと酸化剤ガスとを含んで構成される燃焼ガスが導入される熱媒体側流路と、
前記複数の分割流路それぞれの上流端から下流端までの全域もしくは一部の範囲に配され、前記酸化剤ガスによる前記被酸化ガスの酸化反応を促進させる燃焼触媒と、
を備え、
前記複数の分割流路において、前記燃焼ガスが前記燃焼触媒との接触を開始する開始位置が、他のいずれか１の分割流路と異なる分割流路が形成されるように該燃焼触媒が配されることを特徴とするリアクタ。
【請求項２】
前記反応流体の流通方向の下流側に相当する領域に前記燃焼触媒が配される前記分割流路の数が、該反応流体の流通方向の上流側に相当する領域に該燃焼触媒が配される該分割流路の数より多くなるように前記熱媒体側流路が形成されることを特徴とする請求項１に記載のリアクタ。
【請求項３】
前記分割流路を区画する分割壁を備え、
前記分割壁は、隆起および陥没した板形状であることを特徴とする請求項１または２に記載のリアクタ。
【発明の詳細な説明】
【技術分野】
【０００１】
本発明は、熱交換型のリアクタに関する。
【背景技術】
【０００２】
熱交換型のリアクタは、反応場となる反応側流路と、伝熱隔壁を隔てて反応側流路と並行して設けられ、当該反応側流路を流通する反応流体と熱交換を行う熱媒体が流通する熱媒体側流路とを備えており、反応側流路において効率よく反応を遂行することができるリアクタである。このような熱交換型のリアクタでは、熱媒体側流路の前段で、燃料ガスを燃焼させ、これにより生じた高温の排ガスを熱媒体として熱媒体側流路に導入する技術が利用されている。
【０００３】
また、熱媒体側流路内に、被酸化ガス（燃料ガス）の酸化反応（発熱反応）を促進する燃焼触媒を均一に担持させておき、被酸化ガスと酸化剤ガス（例えば、酸素、オゾン）とを含んで構成される燃焼ガスを熱媒体側流路に導入することで、熱媒体側流路内で発熱させる（高温の排ガスを生成する）技術も開示されている（例えば、特許文献１）。
【先行技術文献】
【特許文献】
【０００４】
【特許文献１】国際公開第２０１２／０５４４５５号
【発明の概要】
【発明が解決しようとする課題】
【０００５】
しかし、被酸化ガスの酸化反応は、反応速度が極めて大きいため、燃焼ガスが燃焼触媒に接触した時点で酸化反応が進行する。したがって、熱媒体側流路の全域に亘って燃焼触媒が担持されている特許文献１の技術では、上流側において被酸化ガスの大部分が酸化されてしまうこととなる。そうすると、熱媒体側流路の上流側と下流側とで生じる熱に偏りが生じ、反応側流路を均一に加熱できないといった問題があった。
【０００６】
そこで本発明は、このような課題に鑑み、熱媒体側流路内における燃焼触媒の配置を工夫することで、熱媒体側流路内の熱の偏りを抑制して、反応側流路に偏りなく熱を供給することが可能なリアクタを提供することを目的としている。
【課題を解決するための手段】
【０００７】
上記課題を解決するために、本発明のリアクタは、反応対象となる流体である反応流体が流通する反応側流路と、伝熱隔壁を介して前記反応側流路と並行して設けられ、互いに区画された複数の分割流路に、被酸化ガスと酸化剤ガスとを含んで構成される燃焼ガスが導入される熱媒体側流路と、前記複数の分割流路それぞれの上流端から下流端までの全域もしくは一部の範囲に配され、前記酸化剤ガスによる前記被酸化ガスの酸化反応を促進させる燃焼触媒と、を備え、前記複数の分割流路において、前記燃焼ガスが前記燃焼触媒との接触を開始する開始位置が、他のいずれか１の分割流路と異なる分割流路が形成されるように該燃焼触媒が配されることを特徴とする。
【０００８】
また、前記反応流体の流通方向の下流側に相当する領域に前記燃焼触媒が配される前記分割流路の数が、該反応流体の流通方向の上流側に相当する領域に該燃焼触媒が配される該分割流路の数より多くなるように前記熱媒体側流路が形成されるとしてもよい。
【０００９】
また、前記分割流路を区画する分割壁を備え、前記分割壁は、隆起および陥没した板形状であるとしてもよい。
【発明の効果】
【００１０】
本発明によれば、熱媒体側流路内の熱の偏りを抑制して、反応側流路に偏りなく熱を供給することが可能となる。
【図面の簡単な説明】
【００１１】
【図１】リアクタを説明するための図である。
【図２】反応側流路および熱媒体側流路を説明するための図である。
【図３】燃焼触媒構造体の具体的な構成を説明するための図である。
【図４】燃焼触媒構造体における燃焼触媒の配置を説明するための図である。
【図５】変形例にかかる燃焼触媒構造体を説明するための図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
（リアクタ１００）
図１は、本実施形態にかかるリアクタ１００を説明するための図であり、図２は、反応側流路２１０および熱媒体側流路２２０を説明するための図である。本実施形態の図１および図２では、垂直に交わるＸ軸、Ｙ軸、Ｚ軸を図示の通り定義している。また、図１中、理解を容易にするために燃焼触媒構造体３００、反応触媒構造体４００の記載を省略する。
【００１４】
図１に示すようにリアクタ１００は、伝熱隔壁１１０が予め定められた間隔離隔して複数積層された構造となっている。また、リアクタ１００を構成する上面１０２、伝熱隔壁１１０（１１０ａ、１１０ｂで示す場合もある）、反応流体導入部１２０、反応流体排出部１２２、燃焼ガス導入部１３０、排ガス排出部１３２はすべて金属材料（例えば、ステンレス鋼（ＳＵＳ３１０、Ｈａｙｎｅｓ（登録商標）２３０）等の耐熱金属）で形成されている。
【００１５】
リアクタ１００を製造する場合、伝熱隔壁１１０を積層してそれぞれを接合するとともに、上面１０２を伝熱隔壁１１０に接合する。そして、反応流体導入部１２０、反応流体排出部１２２、燃焼ガス導入部１３０、排ガス排出部１３２を積層された伝熱隔壁１１０にそれぞれ接合する。リアクタ１００を製造する際に用いる接合方法に限定はないが、例えば、ＴＩＧ（Tungsten Inert Gas）溶接や拡散接合が利用できる。
【００１６】
ここで、伝熱隔壁１１０によって区画される空間のうち、反応流体導入部１２０および反応流体排出部１２２側に形成された孔２１０ａを介して、反応流体導入部１２０および反応流体排出部１２２と連通した空間が反応側流路２１０となる。また、伝熱隔壁１１０によって区画される空間のうち、燃焼ガス導入部１３０および排ガス排出部１３２側に形成された孔２２０ａを介して、燃焼ガス導入部１３０および排ガス排出部１３２と連通した空間が熱媒体側流路２２０となる。本実施形態のリアクタ１００では、反応側流路２１０と熱媒体側流路２２０とが伝熱隔壁１１０に区画されて並行して設けられるとともに、反応側流路２１０と熱媒体側流路２２０とが交互に積層された構造となっている。
【００１７】
具体的に説明すると、図２（ａ）に示すように、熱媒体側流路２２０は、底面が伝熱隔壁１１０（図２（ａ）中、１１０ａで示す）で構成される。また、熱媒体側流路２２０の上面は上面１０２もしくは後述する伝熱隔壁１１０（図２（ｂ）中、１１０ｂで示す）で構成される。伝熱隔壁１１０ａには、伝熱隔壁１１０間の間隙を保持するためのリブ１１２が複数立設されている。さらに、伝熱隔壁１１０ａには、リアクタ１００の側面を構成する側壁１１４と、反応流体導入部１２０からの反応流体の混入を防止するためのサイドバー１１６とが立設されている。また、側壁１１４のうち、燃焼ガス導入部１３０および排ガス排出部１３２が接合される側の側壁１１４には、切り欠き１１４ａが設けられており、伝熱隔壁１１０が積層されたときに、当該切り欠き１１４ａが孔２２０ａを形成することとなる。そして、燃焼ガス導入部１３０から孔２２０ａを介して熱媒体側流路２２０内へ燃焼ガスが導入されたり、熱媒体側流路２２０内から孔２２０ａを介して排ガス排出部１３２へ排ガスが排出されたりする。ここで、燃焼ガスは、被酸化ガス（燃料ガス）と、酸化剤ガス（例えば、酸素、オゾン）とを含んで構成されるガスである。
【００１８】
また、熱媒体側流路２２０内には、リブ１１２で区画された流路を、複数の分割流路に分割するとともに、酸化剤ガスによる被酸化ガスの酸化反応を促進する燃焼触媒が担持された燃焼触媒構造体３００が設けられている。燃焼触媒構造体３００の具体的な構成については後に詳述する。
【００１９】
反応側流路２１０は、図２（ｂ）に示すように、底面が伝熱隔壁１１０ｂで構成される。また、反応側流路２１０の上面は、伝熱隔壁１１０ａで構成される。伝熱隔壁１１０ｂにも、上記伝熱隔壁１１０ａと同様に伝熱隔壁１１０間の間隙を保持するための複数のリブ１１２と、側壁１１４が複数立設されている。なお、伝熱隔壁１１０ｂには、伝熱隔壁１１０ａと異なり、サイドバー１１６が設けられていないため、両側壁１１４間に間隙１１４ｂが形成されることとなる。間隙１１４ｂは、伝熱隔壁１１０が積層されたときに、孔２１０ａを形成する。そして、反応流体導入部１２０から孔２１０ａを介して反応側流路２１０内へ反応流体が導入されたり、反応側流路２１０内から孔２１０ａを介して反応流体排出部１２２へ反応生成物が排出されたりする。
【００２０】
また、反応側流路２１０内には、リブ１１２で区画された流路を、複数の流路に分割するとともに、反応流体の反応を促進させる反応触媒が担持された反応触媒構造体４００が設けられている。
【００２１】
図１に戻って説明すると、燃焼ガス導入部１３０から燃焼ガスが導入されると、図１（ａ）中、実線の矢印で示すように、熱媒体側流路２２０を燃焼ガスが流通する。なお、上述したように、熱媒体側流路２２０には、燃焼触媒構造体３００が設けられているため、燃焼ガス中の被酸化ガスは、熱媒体側流路２２０の流通過程において酸化されて発熱するとともに排ガスが生じる、つまり、高温の排ガスが生じる。こうして生じた排ガスが有する熱は、伝熱隔壁１１０を介して反応側流路２１０に伝達され、これにより、除熱された排ガスは、排ガス排出部１３２から排出される。
【００２２】
また、反応流体導入部１２０から反応流体（反応対象となる流体）が導入されると、図１（ｂ）中、破線の矢印で示すように、反応側流路２１０を反応流体が流通し、反応流体排出部１２２から排出される。なお、図１に示すように、本実施形態において、反応流体と燃焼ガスおよび排ガスとは、対向流の関係となっている。
【００２３】
このように、反応側流路２１０と熱媒体側流路２２０とが伝熱隔壁１１０に区画されて並行して設けられることから、熱媒体側流路２２０を流通する排ガスは、伝熱隔壁１１０を介して、反応側流路２１０を流通する反応流体に熱を供給（加熱）することとなる。
【００２４】
反応側流路２１０で遂行される反応は、吸熱反応であり、例えば、下記化学式（１）に示すメタンの水蒸気改質反応や、化学式（２）に示すメタンのドライリフォーミング反応が挙げられる。
ＣＨ４  ＋  Ｈ２Ｏ  →  ３Ｈ２  ＋  ＣＯ…化学式（１）
ＣＨ４  ＋  ＣＯ２  →  ２Ｈ２  ＋  ２ＣＯ…化学式（２）
【００２５】
以上説明したように本実施形態にかかるリアクタ１００によれば、反応場となる反応側流路２１０と、伝熱隔壁１１０を隔てて反応側流路２１０と並行して設けられ、当該反応側流路２１０を流通する反応流体に熱を供給する熱媒体側流路２２０とを備える構成により、反応側流路２１０において効率よく吸熱反応を遂行することができる。
【００２６】
以下、リアクタ１００の熱媒体側流路２２０内に設けられる燃焼触媒構造体３００について詳述する。
【００２７】
（燃焼触媒構造体３００）
図３は、燃焼触媒構造体３００の具体的な構成を説明するための図であり、図３（ａ）は、燃焼触媒構造体３００の斜視図を、図３（ｂ）は、燃焼触媒構造体３００が熱媒体側流路２２０に設置された際の図３（ａ）におけるＩＩＩ（ｂ）−ＩＩＩ（ｂ）線のＹＺ断面図を示す。本実施形態の図３では、垂直に交わるＸ軸、Ｙ軸、Ｚ軸を図示の通り定義している。
【００２８】
図３に示すように、燃焼触媒構造体３００は、隆起および陥没した板形状の金属、すなわち、波板形状（コルゲート形状）の金属板で構成される分割壁３１０と、分割壁３１０に固定された燃焼触媒とを含んで構成される。なお、図３中、理解を容易にするために、燃焼触媒を省略する。
【００２９】
分割壁３１０は、隆起部３２２（隆起した箇所）と、陥没部３２４（陥没した箇所）と、隆起部３２２から図３中、Ｚ軸方向に延伸した側壁部３２６と、図３中、Ｚ軸方向に延伸し隆起部３２２と陥没部３２４とを接続する区画壁部３２８とを含んで構成される。
【００３０】
分割壁３１０は、熱媒体側流路２２０を、燃焼ガスおよび排ガスの流通方向に直交する方向に並列した複数（ここでは、７）の分割流路Ａに区画する。具体的に説明すると、図３（ｂ）に示すように、分割壁３１０の隆起部３２２または陥没部３２４と、区画壁部３２８（または、区画壁部３２８および側壁部３２６）と、熱媒体側流路２２０を構成する伝熱隔壁１１０ａ、１１０ｂとに囲繞された空間によって、分割流路Ａが形成される。
【００３１】
なお、燃焼触媒構造体３００は、Ｆｅ（鉄）、Ｃｒ（クロム）、Ａｌ（アルミニウム）、Ｙ（イットリウム）を主成分とする耐熱合金、例えば、Ｆｅｃｒａｌｌｏｙ（登録商標）や、Ｆｅ、Ｃｒを主成分とするＳＵＳ等の金属で構成される。
【００３２】
また、分割壁３１０には、担体に担持された燃焼触媒が固定されている。担体は、燃焼ガスの組成によって適宜選択され、例えば、Ａｌ２Ｏ３（アルミナ）、ＴｉＯ２（チタニア）、ＺｒＯ２（ジルコニア）、ＣｅＯ２（セリア）、ＳｉＯ２（シリカ）の群から選択される１または複数である。また、燃焼触媒（活性金属）は、燃焼ガスの組成によって適宜選択され、例えば、Ｐｄ（パラジウム）、Ｐｔ（白金）、Ｒｕ（ルテニウム）、Ｒｈ（ロジウム）の群から選択される１または複数である。
【００３３】
図４は、燃焼触媒構造体３００における燃焼触媒の配置を説明するための図であり、図４（ａ）は本実施形態にかかる燃焼触媒の配置を示し、図４（ｂ）は比較例にかかる燃焼触媒の配置を示す。なお、図４中、燃焼触媒が配されている箇所をグレーの塗りつぶしで示し、燃焼触媒が配されていない箇所を白い塗りつぶしで示す。また、図４中、分割流路Ａ（熱媒体側流路２２０）の上流端を左側に、下流端を右側に示し、燃焼ガスおよび排ガスの流れ方向を白抜き矢印で示す。
【００３４】
図４（ｂ）に示すように、比較例の燃焼触媒構造体３０において、燃焼触媒は、分割流路Ａ（図４中、Ａ１〜Ａ７で示す）それぞれの上流端から下流端までの全域の範囲に配されるように固定されている。この場合、熱媒体側流路（分割流路Ａ）に燃焼ガスが導入されると、上流側において被酸化ガスの大部分が酸化されてしまうこととなる。そうすると、熱媒体側流路の下流側においては、酸化反応がほとんど進行しなくなり、熱媒体側流路の上流側と下流側とで生じる熱に偏りが生じ、反応側流路を均一に加熱できないといった問題があった。
【００３５】
そこで、本実施形態では、図４（ａ）に示すように、分割流路Ａ（図４中、Ａ１〜Ａ７で示す）それぞれの上流端から下流端までの一部の範囲に配されるように、燃焼触媒が分割壁３１０に固定される。具体的に説明すると、分割流路Ａ１、Ａ４、Ａ７において、燃焼触媒は、上流端からＬ１までの範囲に亘って配され、分割流路Ａ２、Ａ５において、燃焼触媒は、Ｌ１からＬ２までの範囲に亘って配され、分割流路Ａ３、Ａ６において、燃焼触媒は、Ｌ２から下流端までの範囲に亘って配されている。
【００３６】
つまり、燃焼ガスが燃焼触媒との接触を開始する開始位置が、分割流路Ａ１、Ａ４、Ａ７において上流端（開始位置ＳＰ１）となり、分割流路Ａ２、Ａ５において開始位置ＳＰ２となり、分割流路Ａ３、Ａ６において開始位置ＳＰ３となるように燃焼触媒が配される。なお、本実施形態において、上流端からＬ１までの範囲、Ｌ１からＬ２までの範囲、Ｌ２から下流端までの範囲（長さ）は、実質的に等しく、かかる範囲に亘って燃焼ガスが通過すると、すべての燃焼ガスが排ガスに変換される（すべての被酸化ガスが酸化される）量の燃焼触媒が分割壁３１０に固定されている。
【００３７】
このように、他の分割流路Ａと開始位置が異なる分割流路Ａが形成されるように燃焼触媒を配する構成により、分割流路Ａによって酸化反応の進行が開始される位置を異ならせることができる。酸化反応は、燃焼触媒が配される箇所に亘って進行するため、上記構成により、分割流路Ａによって発熱する位置を異ならせることが可能となる。したがって、熱媒体側流路２２０全体（分割流路Ａ群）としては、上流側と下流側とで、熱の偏りを抑制して、反応側流路２１０に偏りなく熱を供給することができる。これにより、反応側流路２１０を均一に加熱することができ、反応側流路２１０における反応効率を向上させることが可能となる。
【００３８】
また、本実施形態のリアクタ１００では、熱媒体側流路２２０における上流側に燃焼触媒が配される分割流路Ａ（Ａ１、Ａ４、Ａ７）の数が、熱媒体側流路２２０における下流側に燃焼触媒が配される分割流路Ａ（Ａ３、Ａ６）の数よりも多くなるように熱媒体側流路２２０が形成される。上述したように、本実施形態において、燃焼ガスおよび排ガスと、反応流体とは、対向流の関係となっていることから、反応流体の流通方向の下流側に相当する領域に燃焼触媒が配される分割流路Ａの数（以下、「下流側触媒数」と称する）が、反応流体の流通方向の上流側に相当する領域に燃焼触媒が配される分割流路Ａの数（以下、「上流側触媒数」と称する）より多くなるように熱媒体側流路２２０が形成されると言える。
【００３９】
反応側流路２１０において進行する反応は吸熱反応であり、高い反応効率を達成するためには、反応側流路２１０の上流側よりも下流側において多くの熱量を供給し、反応側流路２１０の下流側の温度を高くする必要がある。したがって、下流側触媒数が、上流側触媒数より多くなるように熱媒体側流路２２０を形成する構成により、反応側流路２１０の下流側に供給する熱量を上流側より増加させることができる。これにより、反応側流路２１０における反応効率を向上させることが可能となる。
【００４０】
（変形例）
図５は、変形例にかかる燃焼触媒構造体を説明するための図である。なお、図５中、燃焼触媒が配されている箇所をグレーの塗りつぶしで示し、燃焼触媒が配されていない箇所を白い塗りつぶしで示す。また、図５中、分割流路Ａ（熱媒体側流路２２０）の上流端を左側に、下流端を右側に示し、燃焼ガスおよび排ガスの流れ方向を白抜き矢印で示す。
【００４１】
上記実施形態では、各分割流路Ａにおいて、燃焼ガスの流れ方向の範囲（長さ）が実質的に等しい範囲に、燃焼触媒が配されている燃焼触媒構造体３００を例に挙げて説明した。しかし、複数の分割流路Ａにおいて、開始位置が、他のいずれか１の分割流路Ａと異なる分割流路Ａが形成されるように燃焼触媒が配されれば、燃焼触媒が配される範囲に限定はない。
【００４２】
例えば、図５（ａ）に示すように、分割流路Ａ１、Ａ４、Ａ７において、燃焼触媒は、上流端から下流端までの全域に配され、分割流路Ａ２、Ａ５において、燃焼触媒は、Ｌ１から下流端までの範囲に亘って配され、分割流路Ａ３、Ａ６において、燃焼触媒は、Ｌ２から下流端までの範囲に亘って配されるとしてもよい。
【００４３】
また、上記実施形態では、隣り合う分割流路Ａにおいて、開始位置が異なるように燃焼触媒が配される構成を例に挙げて説明したが、図５（ｂ）に示すように、開始位置が実質的に等しい隣り合う分割流路Ａが設けられていてもよい。
【００４４】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００４５】
例えば、上記実施形態において、複数の分割流路Ａにおいて、開始位置が、他のいずれか１の分割流路Ａと異なる分割流路Ａが形成されるように燃焼触媒が配されるものの、燃焼触媒が配される範囲が実質的に等しい分割流路Ａが複数形成される構成を例に挙げて説明した。しかし、熱媒体側流路２２０を構成するすべての分割流路Ａにおいて、開始位置がそれぞれ異なるとしてもよい。
【００４６】
また、上記実施形態では、１の燃焼触媒構造体３００において、開始位置が、他のいずれか１の分割流路Ａと異なる分割流路Ａが形成されるように燃焼触媒を配する構成を例に挙げて説明した。しかし、１の燃焼触媒構造体においては、すべての分割流路で開始位置が実質的に等しくなるように燃焼触媒を配しておき、開始位置が異なる複数の燃焼触媒構造体３００を熱媒体側流路２２０に配してもよい。
【００４７】
また、上記実施形態では、熱媒体側流路２２０が燃焼触媒構造体３００を備える構成について説明したが、燃焼触媒構造体３００は必須の構成ではない。燃焼触媒構造体３００を備えない場合、リブ１１２（および側壁１１４）で区画される流路を分割流路とみなして、リブ１１２（および側壁１１４）で区画される流路に燃焼触媒を配してもよい。
【００４８】
また、上記実施形態において、下流側触媒数が上流側触媒数よりも多くなるように熱媒体側流路２２０が形成される構成を例に挙げて説明した。しかし、下流側触媒数と上流側触媒数とは等しくてもよいし、下流側触媒数が上流側触媒数よりも少なくなるように熱媒体側流路２２０が形成されるとしてもよい。また、熱媒体側流路２２０の下流側から上流側（反応側流路２１０の上流側から下流側）に向かうに従って燃焼媒体が配される数が多くなるように分割流路Ａを配置してもよい。例えば、上流端からＬ１までの範囲に燃焼触媒が配される分割流路Ａが全分割流路の１０％を占め、Ｌ１からＬ２までの範囲に燃焼触媒が配される分割流路Ａが全分割流路の３０％を占め、Ｌ２から下流端までの範囲に燃焼触媒が配される分割流路Ａが全分割流路の６０％を占めるように熱媒体側流路２２０を形成してもよい。いずれにせよ、複数の分割流路Ａにおいて、開始位置が、他のいずれか１の分割流路Ａと異なる分割流路Ａが形成されるように燃焼触媒が配されればよい。
【００４９】
また、上記実施形態において、反応側流路２１０と熱媒体側流路２２０とが交互に積層されたリアクタ１００について説明したが、必ずしも積層される必要はない。
【００５０】
また、上記実施形態において、反応側流路２１０を流通する反応流体と熱媒体側流路２２０を流通する熱媒体とが対向流の関係にある場合を例に挙げて説明したが、反応流体と熱媒体とが平行流の関係にあってもよい。
【産業上の利用可能性】
【００５１】
本発明は、熱交換型のリアクタに利用することができる。
【符号の説明】
【００５２】
Ａ  分割流路
１００  リアクタ
１１０  伝熱隔壁
１１２  リブ
２１０  反応側流路
２２０  熱媒体側流路
３１０  分割壁
【図１】
2015223581.tif 000003
【図２】
2015223581.tif 000004
【図３】
2015223581.tif 000005
【図４】
2015223581.tif 000006
【図５】
2015223581.tif 000007